(57)【要約】【課題】ＦＰＣの挿入方向が解り易いＦＰＣ用コネクタを提供する。【解決手段】コネクタ１０は、直方体状の第１ハウジング１と複数の第１コンタクト５１を備える。第１ハウジング１は、ＦＰＣ９ｆを挿入自在な第１差込口１１ｓを前面１ａに開口し、前面１ａと直交する上面１ｂと略平行な方向からＦＰＣ９ｆを導入自在な第１凹部１１を有する。第１コンタクト５１は、第１ハウジング１の内部に配置されている。第１コンタクト５１は、前脚部５１ｆと後脚部５１ｒを備える。前脚部５１ｆは、第１コンタクト５１の前部に形成し、底面をプリント基板９ｐにハンダ接合できる。後脚部５１ｒは、第１コンタクト５１の後部に形成し、底面をプリント基板９ｐにハンダ接合できる。前脚部５１ｆ及び後脚部５１ｒは、第１差込口１１ｓを先頭に、第１凹部１１がプリント基板９ｐの一方の面に対して所定の仰角を有する状態で、第１ハウジング１を支持している。【選択図】図１
2018022559.tif 000002
【特許請求の範囲】
【請求項１】
プリント基板の一方の面と交差する斜め方向からＦＰＣを着脱自在なＦＰＣ用コネクタであって、
ＦＰＣを挿入自在な第１差込口を前面に有し、この前面と直交する上面と略平行な方向から前記ＦＰＣを導入自在な第１凹部を有する直方体状の第１ハウジングと、
前記第１ハウジングの内部に並列配置された複数の板状の第１コンタクトと、を備え、
前記第１コンタクトは、
前記ＦＰＣの接続導体に接触自在な接点と、
当該第１コンタクトの前部に形成し、底面が前記プリント基板の一方の面にハンダ接合自在な前脚部と、
当該第１コンタクトの後部に形成し、底面が前記プリント基板の一方の面にハンダ接合自在な後脚部と、を有し、
前記前脚部及び前記後脚部は、前記第１差込口を先頭に、前記第１凹部が前記プリント基板の一方の面に対して所定の仰角を有する状態で前記第１ハウジングを支持している、ＦＰＣ用コネクタ。
【請求項２】
前記第１ハウジングは、自動実装機に設けた吸着パッドで吸着自在な台座を前記上面に有し、
前記台座は、前記プリント基板の一方の面と略平行に形成した吸着面を有している、請求項１記載のＦＰＣ用コネクタ。
【請求項３】
前記第１コンタクトは、前記第１ハウジングの内部に交互に並列配置された第１音叉形コンタクトと第２音叉形コンタクトからなり、
前記第１音叉形コンタクトは、前記ＦＰＣを挟持し、前記ＦＰＣの接続導体に接触自在な第１の接点を一方の第１挟持アームの先端部に設けた一対の第１挟持アームを有し、
前記第２音叉形コンタクトは、前記ＦＰＣを挟持し、前記ＦＰＣの接続導体に接触自在な第２の接点を一方の第２挟持アームの先端部に設けた一対の第２挟持アームを有し、
前記第１の接点と前記第２の接点は、それらの前後の位置が互いに異なる状態に千鳥配列されている、請求項１又は２記載のＦＰＣ用コネクタ。
【請求項４】
プリント基板の一方の面と交差する斜め方向からＦＰＣを着脱自在なＦＰＣ用コネクタであって、
ＦＰＣを挿入自在な第２差込口を前面に有し、この前面と直交する上面と略平行な方向から前記ＦＰＣを導入自在な第２凹部を有する直方体状の第２ハウジングと、
前記第２ハウジングの内部に並列配置された複数の板状の第２コンタクトと、
前記第２ハウジングの前部に形成した第１段差部を開閉自在に覆うフロントフリップカバーと、を備え、
前記第２コンタクトは、
前記ＦＰＣの接続導体に接触自在な接点を先端部に有する第１弾性アームと、
前記フロントフリップカバーの回動軸を回動自在に支持する支持部を先端部に有する第１固定アームと、
当該第２コンタクトの前部に形成し、底面が前記プリント基板の一方の面にハンダ接合自在な前脚部と、
当該第２コンタクトの後部に形成し、底面が前記プリント基板の一方の面にハンダ接合自在な後脚部と、を有し、
前記前脚部及び前記後脚部は、前記第２差込口を先頭に、前記第２凹部が前記プリント基板の一方の面に対して所定の仰角を有する状態で前記第２ハウジングを支持している、ＦＰＣ用コネクタ。
【請求項５】
プリント基板の一方の面と交差する斜め方向からＦＰＣを着脱自在なＦＰＣ用コネクタであって、
ＦＰＣを挿入自在な第３差込口を前面に有し、この前面と直交する上面と略平行な方向から前記ＦＰＣを導入自在な第３凹部を有する直方体状の第３ハウジングと、
前記第３ハウジングの内部に並列配置された複数の板状の第３コンタクトと、
前記第３ハウジングの後部に形成した第２段差部を開閉自在に覆うバックフリップカバーと、を備え、
前記第３コンタクトは、
前記ＦＰＣの接続導体に接触自在な接点を先端部に有する第２弾性アームと、
前記第２弾性アームと略平行に前記第３凹部の内部に延出した第２固定アームと、
前記第２弾性アーム及び前記第２固定アームの基端同士を連結する第１連結脚と、
前記第１連結脚から前記第２固定アームと反対側に延び、前記バックフリップカバーの回動軸を回動自在に支持する支持部を先端部に有する第３固定アームと、
当該第３コンタクトの前部に形成し、底面が前記プリント基板の一方の面にハンダ接合自在な前脚部と、
当該第３コンタクトの後部に形成し、底面が前記プリント基板の一方の面にハンダ接合自在な後脚部と、を有し、
前記前脚部及び前記後脚部は、前記第３差込口を先頭に、前記第３凹部が前記プリント基板の一方の面に対して所定の仰角を有する状態で前記第３ハウジングを支持している、ＦＰＣ用コネクタ。
【請求項６】
プリント基板の一方の面と交差する斜め方向からＦＰＣを着脱自在なＦＰＣ用コネクタであって、
ＦＰＣを挿入自在な第４差込口を前面に有し、この前面と直交する上面と略平行な方向から前記ＦＰＣを導入自在な第４凹部を有する直方体状の第４ハウジングと、
前記第４ハウジングの内部に並列配置された複数の板状の第４コンタクトと、
前記第４ハウジングの中央部から後部に亘り形成した第３段差部を開閉自在に覆うミッドフリップカバーと、を備え、
前記第４コンタクトは、
前記ＦＰＣの接続導体に接触自在な接点を先端部に有する第３弾性アームと、
前記第３弾性アームと略平行に前記第４凹部の内部に延出した第４固定アームと、
前記第３弾性アーム及び前記第４固定アームの基端同士を連結する第２連結脚と、
前記第２連結脚から前記第４固定アームと反対側に延び、前記ミッドフリップカバーの回動軸を回動自在に支持する支持部を先端部に有する第５固定アームと、
当該第４コンタクトの前部に形成し、底面が前記プリント基板の一方の面にハンダ接合自在な前脚部と、
当該第４コンタクトの後部に形成し、底面が前記プリント基板の一方の面にハンダ接合自在な後脚部と、を有し、
前記前脚部及び前記後脚部は、前記第４差込口を先頭に、前記第４凹部が前記プリント基板の一方の面に対して所定の仰角を有する状態で前記第４ハウジングを支持している、ＦＰＣ用コネクタ。
【発明の詳細な説明】
【技術分野】
【０００１】
本発明は、ＦＰＣ用コネクタに関する。特に、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの可撓性を有するプリント基板を硬質のプリント基板（いわゆる、リジッド基板）に電気的に接続させるためのコネクタに関する。本明細書は、可撓性のプリント基板を総称してＦＰＣと呼称し、本発明は、硬質のプリント基板の一方の面と交差する斜め方向からＦＰＣを着脱自在なＦＰＣ用コネクタの構造に関する。
【背景技術】
【０００２】
一般に、ＦＰＣ用コネクタは、硬質のプリント基板に実装されている。そして、ＦＰＣ用コネクタは、ＦＰＣとプリント基板を電気的に接続している。つまり、ＦＰＣ用コネクタは、プリント基板用コネクタである。
【０００３】
このようなＦＰＣ用コネクタは、「水平取付形」と「垂直取付形」の二種類のタイプがあることが知られている。水平取付形のＦＰＣ用コネクタは、プリント基板の一方の面と略平行な水平方向からＦＰＣを挿入できる。垂直取付形のＦＰＣ用コネクタは、プリント基板の一方の面と略直交する垂直方向からＦＰＣを挿入できる。
【０００４】
水平取付形のＦＰＣ用コネクタは、ＦＰＣを水平方向から挿入するので、プリント板の実装高さを低減できる利点があるが、ＦＰＣの着脱の邪魔になるので、ＦＰＣ用コネクタの前部に実装物を配置できないという難点がある。このように、水平取付形のＦＰＣ用コネクタは、プリント基板の端部に配置されるという制約がある。
【０００５】
一方、垂直取付形のＦＰＣ用コネクタは、ＦＰＣを垂直方向から挿入するので、プリント基板への配置に制約は無いが、ＦＰＣの着脱の邪魔になるので、プリント基板の上方に別のプリント基板を配置することが困難になるという難点がある。
【０００６】
以上のことから、プリント基板へ実装高さを低くする低背化を維持でき、プリント基板への実装位置の制限が緩和された第１のＦＰＣ用コネクタが開示されている（例えば、特許文献１参照）。
【０００７】
又、低背化を容易に実現できると共に、ハウジング内に受容されたＦＰＣが上方へあおられてもハウジング及びコンタクトの過度の変形を防止できる、ＦＰＣの斜め挿入を可能とした第２のＦＰＣ用コネクタが開示されている（例えば、特許文献２参照）。
【先行技術文献】
【特許文献】
【０００８】
【特許文献１】特開２００９−２６６６７４号公報
【特許文献２】特開２０１４−１５４３３０号公報
【発明の概要】
【発明が解決しようとする課題】
【０００９】
図１６は、従来技術による第１のＦＰＣ用コネクタの構成を示す縦断面図であり、図１６（Ａ）は、ハウジングに対してカバーハウジングを開いた状態図、図１６（Ｂ）は、ハウジングに対してカバーハウジングを閉じた状態図である。なお、本願の図１６は、特許文献１の図７に相当している。
【００１０】
図１６を参照すると、従来技術による第１のＦＰＣ用コネクタ（以下、コネクタと略称する）８は、直方体状のハウジング８１とカバーハウジング８２を備えている。又、コネクタ８は、第１コンタクト８３と第２コンタクト８４を備えている。
【００１１】
図１６を参照すると、ハウジング８１は、ＦＰＣ９ｆの端末を挿入自在な凹部８１１を有している。凹部８１１は、ハウジング８１の一方の端部に向けて開口している。又、ハウジング８１は、凹部８１１の底面に向って下り傾斜し、幅方向に断続した斜面壁８１２を有している。これらの斜面壁８１２は、凹部８１１の入口から奥側へ、ＦＰＣ９ｆの端末を下り傾斜した状態で案内できる。
【００１２】
図１６を参照すると、第１コンタクト８３と第２コンタクト８４は、ハウジング８１の内部に交互に並列配置されている。第１コンタクト８３と第２コンタクト８４は、それらの一部がプリント基板９ｐの一方の面にハンダ接合されている。
【００１３】
図１６を参照すると、第１コンタクト８３は、対向配置された第１アーム８３１と第２アーム８３２を有している。第２アーム８３２は、ＦＰＣ９ｆの接続導体に接触自在な第１接点８３ｓを有している。
【００１４】
図１６を参照すると、第２コンタクト８４は、対向配置された第３アーム８４３と第４アーム８４４を有している。第４アーム８４４は、ＦＰＣ９ｆの接続導体に接触自在な第２接点８４ｓを有している。
【００１５】
図１６を参照すると、カバーハウジング８２は、回動軸８２ｓを一方の端部に有している。回動軸８２ｓは、その両端部がハウジング８１に回動自在に支持されている。すなわち、カバーハウジング８２は、ハウジング８１と回動自在に連結している。
【００１６】
図１６を参照すると、第１アーム８３１は、その先端部が回動軸８２ｓを凹部８１１の底面に向けて押さえている。同様に、第３アーム８４３は、その先端部が回動軸８２ｓを凹部８１１の底面に向けて押さえている。
【００１７】
図１６を参照すると、回動軸８２ｓは、第１カム部と第２カム部を軸方向に交互に連設している。第１カム部は、第１アーム８３１と連係して、カバーハウジング８２の姿勢を変更できる。第２カム部は、第３アーム８４３と連係して、カバーハウジング８２の姿勢を変更できる。
【００１８】
図１６（Ａ）を参照して、ハウジング８１に対してカバーハウジング８２が起立した状態では、つまり、カバーハウジング８２が開いた状態では、回動軸８２ｓと第１接点８３ｓの間にＦＰＣ９ｆの端末を挿入できる。同様に、カバーハウジング８２が開いた状態では、回動軸８２ｓと第２接点８４ｓの間にＦＰＣ９ｆの端末を挿入できる。
【００１９】
図１６（Ｂ）を参照して、ハウジング８１に対してカバーハウジング８２が雌伏した状態では、つまり、カバーハウジング８２が閉じた状態では、回動軸８２ｓに設けた第１カム部が変位して、ＦＰＣ９ｆの接続導体を第１接点８３ｓに向けて押圧できる。同様に、カバーハウジング８２が閉じた状態では、回動軸８２ｓに設けた第２カム部が変位して、ＦＰＣ９ｆの接続導体を第２接点８４ｓに向けて押圧できる。
【００２０】
図１６を参照すると、従来技術による第１のコネクタ８は、ＦＰＣ９ｆの端末を下り傾斜した状態で挿抜できるので、第１のコネクタ８の前部に電子部品９ｅを実装することができ、第１のコネクタ８の低背化を維持できる、としている。
【００２１】
図１６を参照すると、従来技術による第１のＦＰＣ用コネクタは、ハウジングの後部を開閉自在に覆う、いわゆる、バックフリップタイプのＦＰＣ用コネクタであるが、特許文献２では、カバーハウジングが開いた状態では、プリント基板の上方に別のプリント基板を配置することが困難になり、ＦＰＣ用コネクタの低背化には限界がある、としている。
【００２２】
図１７は、従来技術による第２のＦＰＣ用コネクタの構成を示す縦断面図であり、図１７（Ａ）は、コンタクトの側面に沿ってハウジングを破断した縦断面図、図１７（Ｂ）は、補強タブに設けたラッチアームの側面に沿ってハウジングを破断した縦断面図である。なお、本願の図１７は、特許文献２の図１０に相当している。
【００２３】
図１７を参照すると、従来技術による第２のＦＰＣ用コネクタ（以下、コネクタと略称する）９は、直方体状のハウジング９１と複数の板状のコンタクト９２を備えている。又、ハウジング９１は、一対の補強タブ９３・９３を両端部に備えている。
【００２４】
図１７を参照すると、ハウジング９１は、ＦＰＣ９ｆの端末を挿入自在な凹部９１１を有している。凹部９１１は、ハウジング９１の一方の端部に向けて開口している。又、ハウジング９１は、凹部９１１の底面に向って下り傾斜し、幅方向に断続した斜面壁９１２を有している。これらの斜面壁９１２は、凹部９１１の入口から奥側へ、ＦＰＣ９ｆの端末を下り傾斜した状態で案内できる。
【００２５】
図１７（Ａ）を参照すると、コンタクト９２は、ハウジング９１の内部に並列配置されている。又、コンタクト９２は、第１弾性アーム９２１、第２弾性アーム９２２、及び、連結脚部９２３を有している。第１弾性アーム９２１と第２弾性アーム９２２は、対向配置されている。連結脚部９２３は、第１弾性アーム９２１と第２弾性アーム９２２の基端部同士を連結している。
【００２６】
図１７（Ａ）を参照すると、コンタクト９２は、凹部９１１と反対側から連結脚部９２３がハウジング９１に圧入されることにより、ハウジング９１に固定されている。又、連結脚部９２３の底面は、プリント基板９ｐの一方の面にハンダ接合されている。
【００２７】
図１７（Ａ）を参照すると、第１弾性アーム９２１は、連結脚部９２３から凹部９１１に向かって延出している。第１弾性アーム９２１は、ＦＰＣ９ｆの接続導体９ｃに接触自在な接点９２ｓを先端部に有している。
【００２８】
図１７（Ａ）を参照すると、第２弾性アーム９２２は、連結脚部９２３から凹部９１１に向かって斜め上方に延出している。第２弾性アーム９２２は、接点９２ｓと対向配置した突部９２ｄを先端部に有している。
【００２９】
図１７（Ａ）を参照して、斜面壁９１２に沿って、ＦＰＣ９ｆの端末を凹部９１１に挿入すると、ＦＰＣ９ｆの端末を接点９２ｓと突部９２ｄの間に挿入できる。図１７（Ａ）に示すように、ＦＰＣ９ｆの端末を第１弾性アーム９２１と第２弾性アーム９２２の間に挿入した状態では、接点９２ｓがＦＰＣ９ｆの接続導体９ｃを押圧している。このように、第２のコネクタ９は、ＦＰＣの挿抜に余り力を要しない、ＮＯＮ−ＺＩＦ（Ｚｅｒｏ  Ｉｎｓｅｒｔｉｏｎ  ＦＯＲＣＥ）タイプのコネクタを構成している。
【００３０】
図１７（Ｂ）を参照すると、補強タブ９３は、凹部９１１に延出したラッチアーム９３１を有している。ラッチアーム９３１は、鉤部９３ｈを先端部に有している。一方、ＦＰＣ９ｆは、その端末の両側部に一対の切り欠き９ｄ・９ｄを有している。
【００３１】
図１７（Ｂ）を参照して、斜面壁９１２に沿って、ＦＰＣ９ｆの端末を凹部９１１に挿入すると、ラッチアーム９３１を弾性変形させた後に復帰することで、鉤部９３ｈを切り欠き９ｄに係止できる。そして、ＦＰＣ９ｆを抜け止めできる。
【００３２】
従来技術による第２のＦＰＣ用コネクタは、ＦＰＣの接続導体にコンタクトを接触させるカバーハウジングを不要としているで、低背化を実現したＦＰＣ用コネクタを提供できる、としている。
【００３３】
図１６又は図１７に示した従来技術によるＦＰＣ用コネクタは、ＦＰＣを斜め上方から直方体状のハウジングのスロット（差込口）に挿入するように構成している。
【００３４】
しかし、人間の操作習性としては、スロットを開口した平面と直交する方向から、ＦＰＣを挿入することが一般的と考えられる。つまり、従来技術によるＦＰＣ用コネクタは、ＦＰＣを斜め上方から挿入することが、直観的に解り難いという問題がある。スロットを開口した平面と直交する方向からＦＰＣを挿入することで、コンタクトを損傷させる心配がある。
【００３５】
プリント基板の一方の面と交差する斜め方向からＦＰＣを着脱でき、ＦＰＣの挿入方向が直観的に解り易いＦＰＣ用コネクタが実現できれば、操作性に優れて便利である。そして、以上のことが本発明の課題といってよい。
【００３６】
本発明は、このような課題に鑑みてなされたものであり、プリント基板の一方の面と交差する斜め方向からＦＰＣを着脱でき、ＦＰＣの挿入方向が直観的に解り易いＦＰＣ用コネクタを提供することを目的とする。
【課題を解決するための手段】
【００３７】
本発明者は、ＦＰＣを挿入自在な差込口を前面に有する直方体状のハウジングと、ハウジングの内部に並列配置された複数の板状のコンタクトで、ＦＰＣ用コネクタを構成し、差込口を先頭に、ＦＰＣを導入自在な凹部がプリント基板の一方の面に対して所定の仰角を有する状態で、これらのコンタクトがハウジングを支持することで、ＦＰＣの挿入方向を直観的に解り易くできると考え、これに基づいて、以下のような新たなＦＰＣ用コネクタを発明するに至った。
【００３８】
（１）  プリント基板の一方の面と交差する斜め方向からＦＰＣを着脱自在なＦＰＣ用コネクタであって、ＦＰＣを挿入自在な第１差込口を前面に有し、この前面と直交する上面と略平行な方向から前記ＦＰＣを導入自在な第１凹部を有する直方体状の第１ハウジングと、前記第１ハウジングの内部に並列配置された複数の板状の第１コンタクトと、を備え、前記第１コンタクトは、前記ＦＰＣの接続導体に接触自在な接点と、当該第１コンタクトの前部に形成し、底面が前記プリント基板の一方の面にハンダ接合自在な前脚部と、当該第１コンタクトの後部に形成し、底面が前記プリント基板の一方の面にハンダ接合自在な後脚部と、を有し、前記前脚部及び前記後脚部は、前記第１差込口を先頭に、前記第１凹部が前記プリント基板の一方の面に対して所定の仰角を有する状態で前記第１ハウジングを支持している、ＦＰＣ用コネクタ。
【００３９】
（２）  前記第１ハウジングは、自動実装機に設けた吸着パッドで吸着自在な台座を前記上面に有し、前記台座は、前記プリント基板の一方の面と略平行に形成した吸着面を有している、（１）記載のＦＰＣ用コネクタ。
【００４０】
（３）  前記第１コンタクトは、前記第１ハウジングの内部に交互に並列配置された第１音叉形コンタクトと第２音叉形コンタクトからなり、前記第１音叉形コンタクトは、前記ＦＰＣを挟持し、前記ＦＰＣの接続導体に接触自在な第１の接点を一方の第１挟持アームの先端部に設けた一対の第１挟持アームを有し、前記第２音叉形コンタクトは、前記ＦＰＣを挟持し、前記ＦＰＣの接続導体に接触自在な第２の接点を一方の第２挟持アームの先端部に設けた一対の第２挟持アームを有し、前記第１の接点と前記第２の接点は、それらの前後の位置が互いに異なる状態に千鳥配列されている、（１）又は（２）記載のＦＰＣ用コネクタ。
【００４１】
（４）  プリント基板の一方の面と交差する斜め方向からＦＰＣを着脱自在なＦＰＣ用コネクタであって、ＦＰＣを挿入自在な第２差込口を前面に有し、この前面と直交する上面と略平行な方向から前記ＦＰＣを導入自在な第２凹部を有する直方体状の第２ハウジングと、前記第２ハウジングの内部に並列配置された複数の板状の第２コンタクトと、前記第２ハウジングの前部に形成した第１段差部を開閉自在に覆うフロントフリップカバーと、を備え、前記第２コンタクトは、前記ＦＰＣの接続導体に接触自在な接点を先端部に有する第１弾性アームと、前記フロントフリップカバーの回動軸を回動自在に支持する支持部を先端部に有する第１固定アームと、当該第２コンタクトの前部に形成し、底面が前記プリント基板の一方の面にハンダ接合自在な前脚部と、当該第２コンタクトの後部に形成し、底面が前記プリント基板の一方の面にハンダ接合自在な後脚部と、を有し、前記前脚部及び前記後脚部は、前記第２差込口を先頭に、前記第２凹部が前記プリント基板の一方の面に対して所定の仰角を有する状態で前記第２ハウジングを支持している、ＦＰＣ用コネクタ。
【００４２】
（５）  プリント基板の一方の面と交差する斜め方向からＦＰＣを着脱自在なＦＰＣ用コネクタであって、ＦＰＣを挿入自在な第３差込口を前面に有し、この前面と直交する上面と略平行な方向から前記ＦＰＣを導入自在な第３凹部を有する直方体状の第３ハウジングと、前記第３ハウジングの内部に並列配置された複数の板状の第３コンタクトと、前記第３ハウジングの後部に形成した第２段差部を開閉自在に覆うバックフリップカバーと、を備え、前記第３コンタクトは、前記ＦＰＣの接続導体に接触自在な接点を先端部に有する第２弾性アームと、前記第２弾性アームと略平行に前記第３凹部の内部に延出した第２固定アームと、前記第２弾性アーム及び前記第２固定アームの基端同士を連結する第１連結脚と、前記第１連結脚から前記第２固定アームと反対側に延び、前記バックフリップカバーの回動軸を回動自在に支持する支持部を先端部に有する第３固定アームと、当該第３コンタクトの前部に形成し、底面が前記プリント基板の一方の面にハンダ接合自在な前脚部と、当該第３コンタクトの後部に形成し、底面が前記プリント基板の一方の面にハンダ接合自在な後脚部と、を有し、前記前脚部及び前記後脚部は、前記第３差込口を先頭に、前記第３凹部が前記プリント基板の一方の面に対して所定の仰角を有する状態で前記第３ハウジングを支持している、ＦＰＣ用コネクタ。
【００４３】
（６）  プリント基板の一方の面と交差する斜め方向からＦＰＣを着脱自在なＦＰＣ用コネクタであって、ＦＰＣを挿入自在な第４差込口を前面に有し、この前面と直交する上面と略平行な方向から前記ＦＰＣを導入自在な第４凹部を有する直方体状の第４ハウジングと、前記第４ハウジングの内部に並列配置された複数の板状の第４コンタクトと、前記第４ハウジングの中央部から後部に亘り形成した第３段差部を開閉自在に覆うミッドフリップカバーと、を備え、前記第４コンタクトは、前記ＦＰＣの接続導体に接触自在な接点を先端部に有する第３弾性アームと、前記第３弾性アームと略平行に前記第４凹部の内部に延出した第４固定アームと、前記第３弾性アーム及び前記第４固定アームの基端同士を連結する第２連結脚と、前記第２連結脚から前記第４固定アームと反対側に延び、前記ミッドフリップカバーの回動軸を回動自在に支持する支持部を先端部に有する第５固定アームと、当該第４コンタクトの前部に形成し、底面が前記プリント基板の一方の面にハンダ接合自在な前脚部と、当該第４コンタクトの後部に形成し、底面が前記プリント基板の一方の面にハンダ接合自在な後脚部と、を有し、前記前脚部及び前記後脚部は、前記第４差込口を先頭に、前記第４凹部が前記プリント基板の一方の面に対して所定の仰角を有する状態で前記第４ハウジングを支持している、ＦＰＣ用コネクタ。
【発明の効果】
【００４４】
本発明によるＦＰＣ用コネクタは、ＦＰＣを挿入自在な差込口を前面に有する直方体状のハウジングと、ハウジングの内部に並列配置された複数の板状のコンタクトで構成し、差込口を先頭に、ＦＰＣを導入自在な凹部がプリント基板の一方の面に対して所定の仰角を有する状態で、これらのコンタクトがハウジングを支持しているので、ＦＰＣの挿入方向を直観的に解り易くできる。
【図面の簡単な説明】
【００４５】
【図１】本発明の一実施形態によるＦＰＣ用コネクタの構成を示す斜視図であり、プリント基板の一方の面に実装したＦＰＣ用コネクタにＦＰＣを挿入した状態図である。
【図２】前記実施形態によるＦＰＣ用コネクタの構成を示す斜視図であり、プリント基板の一方の面に実装したＦＰＣ用コネクタにＦＰＣを挿入する前の状態図である。
【図３】前記実施形態によるＦＰＣ用コネクタの構成を示す右側面図であり、プリント基板の一方の面に実装したＦＰＣ用コネクタにＦＰＣを挿入した状態図である。
【図４】前記実施形態によるＦＰＣ用コネクタの構成を示す斜視図であり、ＦＰＣ用コネクタを前部側から観た状態図である。
【図５】前記実施形態によるＦＰＣ用コネクタの構成を示す斜視図であり、ＦＰＣ用コネクタを後部側から観た状態図である。
【図６】前記実施形態によるＦＰＣ用コネクタの構成を示す斜視図であり、第１コンタクトの側面に沿って第１ハウジングを破断した状態図である。
【図７】前記実施形態によるＦＰＣ用コネクタに備わる第１ハウジングの構成を示す図であり、図７（Ａ）は、第１ハウジングの平面図、図７（Ｂ）は、第１ハウジングの正面図、図７（Ｃ）は、第１ハウジングの背面図、図７（Ｄ）は、第１ハウジングの下面図、図７（Ｅ）は、第１ハウジングの右側面図である。
【図８】前記実施形態によるＦＰＣ用コネクタに備わる第１ハウジングの構成を示す斜視図である。
【図９】前記実施形態によるＦＰＣ用コネクタに備わる第１コンタクトを構成する第１の音叉形コンタクトと第２の音叉形コンタクトの斜視図である。
【図１０】前記実施形態によるＦＰＣ用コネクタに備わる第１コンタクトの構成を示す図であり、図１０（Ａ）は、第１コンタクトを構成する第１音叉形コンタクトの正面図、図１０（Ｂ）は、第１コンタクトを構成する第２音叉形コンタクトの正面図である。
【図１１】前記実施形態によるＦＰＣ用コネクタの構成を示す縦断面図であり、第１音叉形コンタクトの側面に沿って第１ハウジングを破断した状態図である。
【図１２】前記実施形態によるＦＰＣ用コネクタの構成を示す縦断面図であり、図１２（Ａ）は、第１音叉形コンタクトを第１ハウジングに圧入する前の状態図、図１２（Ｂ）は、第１音叉形コンタクトを第１ハウジングに圧入した状態図である。
【図１３】第１の変形例によるＦＰＣ用コネクタの構成を示す縦断面図であり、図１３（Ａ）は、第２ハウジングに対してフロントフリップカバーを開いた状態図、図１３（Ｂ）は、第２ハウジングに対してフロントフリップカバーを閉じた状態図である。
【図１４】第２の変形例によるＦＰＣ用コネクタの構成を示す縦断面図であり、図１４（Ａ）は、第３ハウジングに対してバックフリップカバーを開いた状態図、図１４（Ｂ）は、第３ハウジングに対してバックフリップカバーを閉じた状態図である。
【図１５】第３の変形例によるＦＰＣ用コネクタの構成を示す縦断面図であり、図１５（Ａ）は、第４ハウジングに対してミッドフリップカバーを開いた状態図、図１５（Ｂ）は、第４ハウジングに対してミッドフリップカバーを閉じた状態図である。
【図１６】従来技術による第１のＦＰＣ用コネクタの構成を示す縦断面図であり、図８（Ａ）は、ハウジングに対してカバーハウジングを開いた状態図、図８（Ｂ）は、ハウジングに対してカバーハウジングを閉じた状態図である。
【図１７】従来技術による第２のＦＰＣ用コネクタの構成を示す縦断面図であり、図９（Ａ）は、コンタクトの側面に沿ってハウジングを破断した縦断面図、図９（Ｂ）は、補強タブに設けたラッチアームの側面に沿ってハウジングを破断した縦断面図である。
【発明を実施するための形態】
【００４６】
以下、図面を参照して本発明を実施するための形態を説明する。
【００４７】
［ＦＰＣ用コネクタの構成］
最初に、本発明の一実施形態によるＦＰＣ用コネクタの構成を説明する。図１は、本発明の一実施形態によるＦＰＣ用コネクタの構成を示す斜視図であり、プリント基板の一方の面に実装したＦＰＣ用コネクタにＦＰＣを挿入した状態図である。
【００４８】
図２は、前記実施形態によるＦＰＣ用コネクタの構成を示す斜視図であり、プリント基板の一方の面に実装したＦＰＣ用コネクタにＦＰＣを挿入する前の状態図である。
【００４９】
図３は、前記実施形態によるＦＰＣ用コネクタの構成を示す右側面図であり、プリント基板の一方の面に実装したＦＰＣ用コネクタにＦＰＣを挿入した状態図である。
【００５０】
図４は、前記実施形態によるＦＰＣ用コネクタの構成を示す斜視図であり、ＦＰＣ用コネクタを前部側から観た状態図である。図５は、前記実施形態によるＦＰＣ用コネクタの構成を示す斜視図であり、ＦＰＣ用コネクタを後部側から観た状態図である。
【００５１】
図６は、前記実施形態によるＦＰＣ用コネクタの構成を示す斜視図であり、第１コンタクトの側面に沿って第１ハウジングを破断した状態図である。
【００５２】
図７は、前記実施形態によるＦＰＣ用コネクタに備わる第１ハウジングの構成を示す図であり、図７（Ａ）は、第１ハウジングの平面図、図７（Ｂ）は、第１ハウジングの正面図、図７（Ｃ）は、第１ハウジングの背面図、図７（Ｄ）は、第１ハウジングの下面図、図７（Ｅ）は、第１ハウジングの右側面図である。
【００５３】
図８は、前記実施形態によるＦＰＣ用コネクタに備わる第１ハウジングの構成を示す斜視図である。図９は、前記実施形態によるＦＰＣ用コネクタに備わる第１コンタクトを構成する第１の音叉形コンタクトと第２の音叉形コンタクトの斜視図である。
【００５４】
図１０は、前記実施形態によるＦＰＣ用コネクタに備わる第１コンタクトの構成を示す図であり、図１０（Ａ）は、第１コンタクトを構成する第１音叉形コンタクトの正面図、図１０（Ｂ）は、第１コンタクトを構成する第２音叉形コンタクトの正面図である。
【００５５】
図１１は、前記実施形態によるＦＰＣ用コネクタの構成を示す縦断面図であり、第１音叉形コンタクトの側面に沿って第１ハウジングを破断した状態図である。
【００５６】
図１２は、前記実施形態によるＦＰＣ用コネクタの構成を示す縦断面図であり、図１２（Ａ）は、第１音叉形コンタクトを第１ハウジングに圧入する前の状態図、図１２（Ｂ）は、第１音叉形コンタクトを第１ハウジングに圧入した状態図である。
【００５７】
（全体構成）
図１から図１２を参照すると、本発明の一実施形態によるＦＰＣ用コネクタ（以下、コネクタと略称する）１０は、プリント基板９ｐの一方の面と交差する斜め方向からＦＰＣ９ｆを着脱できる。コネクタ１０は、直方体状の第１ハウジング１と複数の板状の第１コンタクト５１を備えている。
【００５８】
図１から図８を参照すると、第１ハウジング１は、ＦＰＣ９ｆを挿入自在な第１差込口１１ｓを前面１ａに開口している。又、図６又は図１１を参照すると、第１ハウジング１は、ＦＰＣ９ｆを導入自在な第１凹部１１を有している。第１凹部１１には、前面１ａと直交する上面１ｂと略平行な方向からＦＰＣ９ｆを導入できる（図１又は図３参照）。第１コンタクト５１は、第１ハウジング１の内部に並列配置されている（図１又は図２及び図４参照）。
【００５９】
図１又は図２及び図１１を参照すると、第１コンタクト５１は、接点５１ｓ、前脚部５１ｆ、及び、後脚部５１ｒを備えている。ＦＰＣ９ｆを第１凹部１１に挿入すると、ＦＰＣ９ｆの接続導体９ｃを接点５１ｓに接触できる。
【００６０】
図１から図６を参照すると、前脚部５１ｆは、第１コンタクト５１の前部に形成している。又、前脚部５１ｆは、その底面をプリント基板９ｐの一方の面にハンダ接合できる。後脚部５１ｒは、第１コンタクト５１の後部に形成している。又、後脚部５１ｒは、その底面をプリント基板９ｐの一方の面にハンダ接合できる。
【００６１】
図１から図６を参照すると、前脚部５１ｆ及び後脚部５１ｒは、第１差込口１１ｓを先頭に、第１凹部１１がプリント基板９ｐの一方の面に対して所定の仰角を有する状態で、第１ハウジング１を支持している。
【００６２】
図１から図１２を参照すると、実施形態によるコネクタ１０は、ＦＰＣ９ｆを挿入自在な第１差込口１１ｓを前面に有する直方体状の第１ハウジング１と、第１ハウジング１の内部に並列配置された複数の板状の第１コンタクト５１で構成し、第１差込口１１ｓを先頭に、ＦＰＣ９ｆを導入自在な第１凹部１１がプリント基板９ｐの一方の面に対して所定の仰角を有する状態で、これらの第１コンタクト５１が第１ハウジング１を支持しているので、ＦＰＣ９ｆの挿入方向を直観的に解り易くできる。
【００６３】
（第１ハウジングの構成）
次に、実施形態による第１ハウジング１の構成を説明する。図１から図８を参照すると、第１ハウジング１は、絶縁性を有する合成樹脂からなり、絶縁性を有する合成樹脂を成形して、所望の形状の第１ハウジング１を得ることができる。
【００６４】
図７又は図８を参照すると、第１ハウジング１は、縦長の矩形溝１１ｄを櫛の歯状に形成している。矩形溝１ｄは、第１ハウジング１の前面１ａから開口され、第１凹部１１に連通している。矩形溝１１ｄには、第１コンタクト５１を後脚部５１ｒから圧入できる（図１２参照）。
【００６５】
図１から図８を参照すると、第１ハウジング１は、楔体状の台座１２を上面１ｂに備えている。台座１２は、プリント基板９ｐの一方の面と略平行に形成した吸着面１２ａを有している（図３参照）。自動実装機に設けた吸着パッド（図示せず）を吸着面１２ａに当接し、台座１２を吸着することで、コネクタ１０をプリント基板９ｐに移動できる。
【００６６】
（第１コンタクトの構成）
次に、実施形態による第１コンタクト５１の構成を説明する。図９から図１２を参照すると、第１コンタクト５１は、導電性を有する金属板からなり、導電性を有する金属板を打ち抜き加工して、板状の第１コンタクト５１を得ることができる。第１コンタクト５１は、例えば、銅合金を用いることができるが、銅合金に限定されない。
【００６７】
図９又は図１０を参照すると、第１コンタクト５１は、複数の第１音叉形コンタクト５１ａと第２音叉形コンタクト５１ｂで構成している。これらの第１音叉形コンタクト５１ａと第２音叉形コンタクト５１ｂは、第１ハウジング１の内部に交互に並列配置されている（図１から図６参照）。
【００６８】
図９又は図１０を参照すると、第１音叉形コンタクト５１ａは、一対の第１挟持アーム５１１・５１２を有している。これらの第１挟持アーム５１１・５１２は、対向配置された一対の第１の接点５１ｓ・５１ｓを先端部に設けている。一対の第１の接点５１ｓ・５１ｓは、ＦＰＣ９ｆを挟持できる。一方の第１挟持アーム５１１に設けた第１の接点５１ｓは、ＦＰＣ９ｆの接続導体９ｃに接触できる（図１参照）。
【００６９】
同様に、図９又は図１０を参照すると、第２音叉形コンタクト５１ｂは、一対の第２挟持アーム５１３・５１４を有している。これらの第２挟持アーム５１３・５１４は、対向配置された一対の第２の接点５１ｓ・５１ｓを先端部に設けている。一対の第２の接点５１ｓ・５１ｓは、ＦＰＣ９ｆを挟持できる。一方の第２挟持アーム５１３に設けた第２の接点５１ｓは、ＦＰＣ９ｆの接続導体９ｃに接触できる（図１参照）。
【００７０】
図９又は図１０を参照すると、第１挟持アーム５１１に設けた第１の接点５１ｓと第２挟持アーム５１３に設けた第２の接点５１ｓは、それらの前後の位置が互いに異なる状態に千鳥配列している。これにより、これらの接点５１ｓとＦＰＣ９ｆの接続導体９ｃを確実に接触できる。
【００７１】
（ＦＰＣ用コネクタの作用）
次に、実施形態によるコネクタ１０の動作を説明しながら、コネクタ１０の作用及び効果を説明する。
【００７２】
図１１を参照して、プリント基板９ｐの一方の面と交差する斜め方向から、ＦＰＣ９ｆを第１凹部１１に挿入すると、一対の第１挟持アーム５１１・５１２及び一対の第２挟持アーム５１３・５１４の間にＦＰＣ９ｆを導入できる。そして、一方の第１挟持アーム５１１に設けた第１の接点５１ｓをＦＰＣ９ｆの接続導体９ｃに接触できる（図１参照）。又、一方の第２挟持アーム５１３に設けた第２の接点５１ｓをＦＰＣ９ｆの接続導体９ｃに接触できる（図１参照）。実施形態によるコネクタ１０は、ＮＯＮ−ＺＩＦタイプのコネクタを構成している。
【００７３】
図１から図３を参照すると、前脚部５１ｆ及び後脚部５１ｒは、第１差込口１１ｓを先頭に、第１凹部１１がプリント基板９ｐの一方の面に対して所定の仰角を有する状態で第１ハウジング１を支持しているので、ＦＰＣ９ｆの挿入方向が直観的に解り易く、操作性に優れて便利である。
【００７４】
図１から図８を参照すると、実施形態によるコネクタ１０は、自動実装機に設けた吸着パッド（図示せず）で吸着自在な台座１２を第１ハウジング１の上面１ｂに有しているので、自動実装機を用いて、コネクタ１０を効率よくプリント基板９ｐに実装できる。
【００７５】
図１から図３を参照すると、第１コンタクト５１は、前脚部５１ｆをプリント基板９ｐの一方の面に形成した信号パターンに電気接続する信号タブとすることができ、後脚部５１ｒをプリント基板９ｐの一方の面にハンダ接合した補強タブとすることができる。
【００７６】
又、図１から図３を参照すると、第１コンタクト５１は、後脚部５１ｒをプリント基板９ｐの一方の面に形成した信号パターンに電気接続する信号タブとすることができ、前脚部５１ｆをプリント基板９ｐの一方の面にハンダ接合した補強タブとすることができる。いずれにしても、第１コンタクト５１は、その両端部がプリント基板９ｐの一方の面にハンダ接合されているので、実施形態によるコネクタ１０をプリント基板９ｐに強固に固定できる。
【００７７】
従来技術によるコネクタ８・９と実施形態によるコネクタ１０を対比すると、従来技術によるコネクタ８・９は、ハウジング８１又はハウジング９１を成形するに当たり、対向する一対の金型に加え、これらの金型が対向する方向と直交する方向に進退する別の金型を必要としていたのに対し、実施形態によるコネクタ１０は、第１ハウジング１を成形するに当たり、対向する一対の金型だけで済むという、メリットがある。
【００７８】
従来技術によるコネクタ８・９と実施形態によるコネクタ１０を対比すると、従来技術によるコネクタ８・９は、プリント基板９ｐの一方の面と交差するＦＰＣ９ｆの傾斜角度を変更するに当たり、ハウジングの仕様を変更する必要があったが、実施形態によるコネクタ１０は、第１コンタクト５１の仕様変更のみで済むという、コストメリットがある。
【００７９】
［第１の変形例］
（ＦＰＣ用コネクタの構成）
次に、本発明の第１の変形例によるＦＰＣ用コネクタの構成を説明する。図１３は、第１の変形例によるＦＰＣ用コネクタの構成を示す縦断面図であり、図１３（Ａ）は、第２ハウジングに対してフロントフリップカバーを開いた状態図、図１３（Ｂ）は、第２ハウジングに対してフロントフリップカバーを閉じた状態図である。
【００８０】
図１３を参照すると、第１の変形例によるＦＰＣ用コネクタ（以下、コネクタと略称する）２０は、プリント基板９ｐの一方の面と交差する斜め方向からＦＰＣ９ｆを着脱できる。コネクタ２０は、直方体状の第２ハウジング２、複数の板状の第２コンタクト５２、及び、矩形板状のフロントフリップカバー６１を備えている。
【００８１】
図１３を参照すると、第２ハウジング２は、ＦＰＣ９ｆを挿入自在な第２差込口２１ｓを前面２ａに開口している。又、第２ハウジング２は、ＦＰＣ９ｆを導入自在な第２凹部２１を有している。第２凹部２１には、前面２ａと直交する上面２ｂと略平行な方向からＦＰＣ９ｆを導入できる。第２コンタクト５２は、第２ハウジング２の内部に並列配置されている。
【００８２】
図１３を参照すると、フロントフリップカバー６１は、第２ハウジング２の前部に形成した第１段差部２１ｄを開閉自在に覆っている。第２コンタクト５２は、第１弾性アーム５２１と第１固定アーム５２２を有している。第１弾性アーム５２１は、接点５２ｓを先端部に備えている。第１固定アーム５２２は、支持部５２ｈを先端部に有している。支持部５２ｈは、フロントフリップカバー６１の回動軸６１ｓを回動自在に支持している。
【００８３】
図１３を参照して、ＦＰＣ９ｆを第２凹部２１に挿入し、フロントフリップカバー６１を閉じると（図１３（Ｂ）参照）、ＦＰＣ９ｆの接続導体９ｃを接点５２ｓに接触できる（図１参照）。
【００８４】
又、図１３を参照すると、第２コンタクト５２は、前脚部５２ｆと後脚部５２ｒを備えている。前脚部５２ｆは、第２コンタクト５２の前部に形成している。又、前脚部５２ｆは、その底面をプリント基板９ｐの一方の面にハンダ接合できる。後脚部５２ｒは、第２コンタクト５２の後部に形成している。又、後脚部５２ｒは、その底面をプリント基板９ｐの一方の面にハンダ接合できる。
【００８５】
図１３を参照すると、前脚部５２ｆ及び後脚部５２ｒは、第２差込口２１ｓを先頭に、第２凹部２１がプリント基板９ｐの一方の面に対して所定の仰角を有する状態で、第２ハウジング２を支持している。
【００８６】
図１３を参照すると、第１の変形例によるコネクタ２０は、ＦＰＣ９ｆを挿入自在な第２差込口２１ｓを前面に有する直方体状の第２ハウジング２と、第２ハウジング２の内部に並列配置された複数の板状の第２コンタクト５２で構成し、第２差込口２１ｓを先頭に、ＦＰＣ９ｆを導入自在な第２凹部２１がプリント基板９ｐの一方の面に対して所定の仰角を有する状態で、これらの第２コンタクト５２が第２ハウジング２を支持しているので、ＦＰＣ９ｆの挿入方向を直観的に解り易くできる。
【００８７】
図１３を参照すると、第２ハウジング２は、楔体状の台座２２を上面２ｂに備えている。台座２２は、プリント基板９ｐの一方の面と略平行に形成した吸着面２２ａを有している。自動実装機に設けた吸着パッド（図示せず）を吸着面２２ａに当接し、台座２２を吸着することで、コネクタ２０をプリント基板９ｐに移動できる。
【００８８】
（ＦＰＣ用コネクタの作用）
次に、第１の変形例によるコネクタ２０の動作を説明しながら、コネクタ２０の作用及び効果を説明する。
【００８９】
図１３（Ａ）を参照して、フロントフリップカバー６１を開いた状態で、プリント基板９ｐの一方の面と交差する斜め方向から、ＦＰＣ９ｆを第２凹部２１に挿入すると、第１弾性アーム５２１と第１固定アーム５２２の間にＦＰＣ９ｆを導入できる。
【００９０】
図１３（Ｂ）を参照して、フロントフリップカバー６１を閉じた状態では、フロントフリップカバー６１の内壁が第２凹部２１の底面に対向配置されているので、第１弾性アーム５２１に設けた接点５２ｓをＦＰＣ９ｆの接続導体９ｃに押圧できる。そして、接点５２ｓをＦＰＣ９ｆの接続導体９ｃに接触できる。
【００９１】
図１３を参照すると、第１の変形例によるコネクタ２０は、実施形態によるコネクタ１０と同様な効果を奏するが、フロントフリップカバー６１を開いた状態では、ＦＰＣ９ｆの挿抜に力を殆んど必要とすることのない、ＺＩＦタイプのＦＰＣ用コネクタを実現している。又、第１の変形例によるコネクタ２０は、前部に配置したフロントフリップカバー６１を開閉することで、ＦＰＣ９ｆを着脱できるフロントフリップタイプのＦＰＣ用コネクタを実現している。
【００９２】
［第２の変形例］
（ＦＰＣ用コネクタの構成）
次に、本発明の第２の変形例によるＦＰＣ用コネクタの構成を説明する。図１４は、第２の変形例によるＦＰＣ用コネクタの構成を示す縦断面図であり、図１４（Ａ）は、第３ハウジングに対してバックフリップカバーを開いた状態図、図１４（Ｂ）は、第３ハウジングに対してバックフリップカバーを閉じた状態図である。
【００９３】
図１４を参照すると、第２の変形例によるＦＰＣ用コネクタ（以下、コネクタと略称する）３０は、プリント基板９ｐの一方の面と交差する斜め方向からＦＰＣ９ｆを着脱できる。コネクタ３０は、直方体状の第３ハウジング３、複数の板状の第３コンタクト５３、及び、矩形板状のバックフリップカバー６２を備えている。
【００９４】
図１４を参照すると、第３ハウジング３は、ＦＰＣ９ｆを挿入自在な第３差込口３１ｓを前面３ａに開口している。又、第３ハウジング３は、ＦＰＣ９ｆを導入自在な第３凹部３１を有している。第３凹部３１には、前面３ａと直交する上面３ｂと略平行な方向からＦＰＣ９ｆを導入できる。第３コンタクト５３は、第３ハウジング３の内部に並列配置されている。
【００９５】
図１４を参照すると、バックフリップカバー６２は、第３ハウジング３の後部に形成した第２段差部３１ｄを開閉自在に覆っている。第３コンタクト５３は、第２弾性アーム５３１と第２固定アーム５３２を有している。第２弾性アーム５３１は、接点５３ｓを先端部に備えている。第２固定アーム５３２は、第２弾性アーム５３１と略平行に第３凹部３１の内部に延出している。
【００９６】
又、図１４を参照すると、第３コンタクト５３は、第１連結脚５３３と第３固定アーム５３４を有している。第１連結脚５３３は、第２弾性アーム５３１及び第２固定アーム５３２の基端同士を連結している。第３固定アーム５３４は、第１連結脚５３３から第２固定アーム５３２と反対側に延びている。又、第３固定アーム５３４は、支持部５３ｈを先端部に有している。支持部５３ｈは、バックフリップカバー６２の回動軸６２ｓを回動自在に支持している。
【００９７】
図１４を参照して、ＦＰＣ９ｆを第３凹部３１に挿入し、バックフリップカバー６２を閉じると（図１４（Ｂ）参照）、ＦＰＣ９ｆの接続導体９ｃを接点５３ｓに接触できる（図１参照）。
【００９８】
又、図１４を参照すると、第３コンタクト５３は、前脚部５３ｆと後脚部５３ｒを備えている。前脚部５３ｆは、第３コンタクト５３の前部に形成している。又、前脚部５３ｆは、その底面をプリント基板９ｐの一方の面にハンダ接合できる。後脚部５３ｒは、第３コンタクト５３の後部に形成している。又、後脚部５３ｒは、その底面をプリント基板９ｐの一方の面にハンダ接合できる。
【００９９】
図１４を参照すると、前脚部５３ｆ及び後脚部５３ｒは、第３差込口３１ｓを先頭に、第３凹部３１がプリント基板９ｐの一方の面に対して所定の仰角を有する状態で、第３ハウジング３を支持している。
【０１００】
図１４を参照すると、第２の変形例によるコネクタ３０は、ＦＰＣ９ｆを挿入自在な第３差込口３１ｓを前面に有する直方体状の第３ハウジング３と、第３ハウジング３の内部に並列配置された複数の板状の第３コンタクト５３で構成し、第３差込口３１ｓを先頭に、ＦＰＣ９ｆを導入自在な第３凹部３１がプリント基板９ｐの一方の面に対して所定の仰角を有する状態で、これらの第３コンタクト５３が第３ハウジング３を支持しているので、ＦＰＣ９ｆの挿入方向を直観的に解り易くできる。
【０１０１】
図１４を参照すると、第３ハウジング３は、楔体状の台座３２を上面３ｂに備えている。台座３２は、プリント基板９ｐの一方の面と略平行に形成した吸着面３２ａを有している。自動実装機に設けた吸着パッド（図示せず）を吸着面３２ａに当接し、台座３２を吸着することで、コネクタ３０をプリント基板９ｐに移動できる。
【０１０２】
（ＦＰＣ用コネクタの作用）
次に、第２の変形例によるコネクタ３０の動作を説明しながら、コネクタ３０の作用及び効果を説明する。
【０１０３】
図１４（Ａ）を参照して、バックフリップカバー６２を開いた状態で、プリント基板９ｐの一方の面と交差する斜め方向から、ＦＰＣ９ｆを第３凹部３１に挿入すると、第２弾性アーム５３１と第２固定アーム５３２の間にＦＰＣ９ｆを導入できる。
【０１０４】
図１４（Ｂ）を参照して、ＦＰＣ９ｆを第３凹部３１に挿入した状態で、バックフリップカバー６２を閉じると、回動軸６２ｓに形成したカム部が第３固定アーム５３４を押し上げることで、第２固定アーム５３２を第２弾性アーム５３１に向かって傾倒できる。そして、第２固定アーム５３２の先端部がＦＰＣ９ｆを押圧できる。これにより、ＦＰＣ９ｆの接続導体９ｃ（図１参照）を接点５３ｓに押圧できる。
【０１０５】
図１４を参照すると、第２の変形例によるコネクタ３０は、実施形態によるコネクタ１０と同様な効果を奏するが、バックフリップカバー６２を開いた状態では、ＦＰＣ９ｆの挿抜に力を殆んど必要とすることのない、ＺＩＦタイプのＦＰＣ用コネクタを実現している。又、第２の変形例によるコネクタ３０は、後部に配置したバックフリップカバー６２を開閉することで、ＦＰＣ９ｆを着脱できるバックフリップタイプのＦＰＣ用コネクタを実現している。
【０１０６】
［第３の変形例］
（ＦＰＣ用コネクタの構成）
次に、本発明の第２の変形例によるＦＰＣ用コネクタの構成を説明する。図１５は、第３の変形例によるＦＰＣ用コネクタの構成を示す縦断面図であり、図１５（Ａ）は、第４ハウジングに対してミッドフリップカバーを開いた状態図、図１５（Ｂ）は、第４ハウジングに対してミッドフリップカバーを閉じた状態図である。
【０１０７】
図１５を参照すると、第３の変形例によるＦＰＣ用コネクタ（以下、コネクタと略称する）４０は、プリント基板９ｐの一方の面と交差する斜め方向からＦＰＣ９ｆを着脱できる。コネクタ４０は、直方体状の第４ハウジング４、複数の板状の第４コンタクト５４、及び、矩形板状のミッドフリップカバー６３を備えている。
【０１０８】
図１５を参照すると、第４ハウジング４は、ＦＰＣ９ｆを挿入自在な第４差込口４１ｓを前面４ａに開口している。又、第４ハウジング４は、ＦＰＣ９ｆを導入自在な第４凹部４１を有している。第４凹部４１には、前面４ａと直交する上面４ｂと略平行な方向からＦＰＣ９ｆを導入できる。第４コンタクト５４は、第４ハウジング４の内部に並列配置されている。
【０１０９】
図１５を参照すると、ミッドフリップカバー６３は、第４ハウジング４の中央部から後部に亘り形成した第３段差部４１ｄを開閉自在に覆っている。第４コンタクト５４は、第３弾性アーム５４１と第４固定アーム５４２を有している。第３弾性アーム５４１は、接点５４ｓを先端部に備えている。第４固定アーム５４２は、第３弾性アーム５４１と略平行に第４凹部４１の内部に延出している。
【０１１０】
又、図１４を参照すると、第４コンタクト５４は、第２連結脚５４３と第５固定アーム５４４を有している。第２連結脚５４３は、第３弾性アーム５４１及び第４固定アーム５４２の基端同士を連結している。第５固定アーム５４４は、第２連結脚５４３から第４固定アーム５４２と反対側に延びている。又、第５固定アーム５４４は、支持部５４ｈを先端部に有している。支持部５４ｈは、ミッドフリップカバー６３の回動軸６３ｓを回動自在に支持している。
【０１１１】
図１５を参照して、ＦＰＣ９ｆを第４凹部４１に挿入し、ミッドフリップカバー６３を閉じると（図１５（Ｂ）参照）、ＦＰＣ９ｆの接続導体９ｃを接点５４ｓに接触できる（図１参照）。
【０１１２】
又、図１５を参照すると、第４コンタクト５４は、前脚部５４ｆと後脚部５４ｒを備えている。前脚部５４ｆは、第４コンタクト５４の前部に形成している。又、前脚部５４ｆは、その底面をプリント基板９ｐの一方の面にハンダ接合できる。後脚部５４ｒは、第４コンタクト５４の後部に形成している。又、後脚部５４ｒは、その底面をプリント基板９ｐの一方の面にハンダ接合できる。
【０１１３】
図１５を参照すると、前脚部５４ｆ及び後脚部５４ｒは、第４差込口４１ｓを先頭に、第４凹部４１がプリント基板９ｐの一方の面に対して所定の仰角を有する状態で、第４ハウジング４を支持している。
【０１１４】
図１５を参照すると、第３の変形例によるコネクタ４０は、ＦＰＣ９ｆを挿入自在な第４差込口４１ｓを前面に有する直方体状の第４ハウジング４と、第４ハウジング４の内部に並列配置された複数の板状の第４コンタクト５４で構成し、第４差込口４１ｓを先頭に、ＦＰＣ９ｆを導入自在な第４凹部４１がプリント基板９ｐの一方の面に対して所定の仰角を有する状態で、これらの第４コンタクト５４が第４ハウジング４を支持しているので、ＦＰＣ９ｆの挿入方向を直観的に解り易くできる。
【０１１５】
図１５を参照すると、第４ハウジング４は、楔体状の台座４２を上面４ｂに備えている。台座４２は、プリント基板９ｐの一方の面と略平行に形成した吸着面４２ａを有している。自動実装機に設けた吸着パッド（図示せず）を吸着面３２ａに当接し、台座４２を吸着することで、コネクタ４０をプリント基板９ｐに移動できる。
【０１１６】
（ＦＰＣ用コネクタの作用）
次に、第３の変形例によるコネクタ４０の動作を説明しながら、コネクタ４０の作用及び効果を説明する。
【０１１７】
図１５（Ａ）を参照して、ミッドフリップカバー６３を開いた状態で、プリント基板９ｐの一方の面と交差する斜め方向から、ＦＰＣ９ｆを第４凹部４１に挿入すると、第３弾性アーム５４１と第４固定アーム５４２の間にＦＰＣ９ｆを導入できる。
【０１１８】
図１５（Ｂ）を参照して、ＦＰＣ９ｆを第３凹部３１に挿入した状態で、ミッドフリップカバー６３を閉じると、回動軸６３ｓに形成したカム部が第５固定アーム５４４を押し上げることで、第４固定アーム５４２を第３弾性アーム５４１に向かって傾倒できる。そして、ミッドフリップカバー６３の先端部がＦＰＣ９ｆを押圧できる。これにより、ＦＰＣ９ｆの接続導体９ｃ（図１参照）を接点５４ｓに押圧できる。
【０１１９】
図１５を参照すると、第３の変形例によるコネクタ４０は、実施形態によるコネクタ１０と同様な効果を奏するが、ミッドフリップカバー６３を開いた状態では、ＦＰＣ９ｆの挿抜に力を殆んど必要とすることのない、ＺＩＦタイプのＦＰＣ用コネクタを実現している。又、第３の変形例によるコネクタ４０は、中央部から後部に亘り配置したミッドフリップカバー６３を開閉することで、ＦＰＣ９ｆを着脱できるミッドフリップタイプのＦＰＣ用コネクタを実現している。
【符号の説明】
【０１２０】
１  第１ハウジング
１ａ  前面
１ｂ  上面
９ｃ  接続導体
９ｐ  プリント基板
１０  コネクタ（ＦＰＣ用コネクタ）
１１  第１凹部
１１ｓ  第１差込口
５１  第１コンタクト
５１ｆ  前脚部
５１ｒ  後脚部
５１ｓ  接点
【図１】
2018022559.tif 000003
【図２】
2018022559.tif 000004
【図３】
2018022559.tif 000005
【図４】
2018022559.tif 000006
【図５】
2018022559.tif 000007
【図６】
2018022559.tif 000008
【図７】
2018022559.tif 000009
【図８】
2018022559.tif 000010
【図９】
2018022559.tif 000011
【図１０】
2018022559.tif 000012
【図１１】
2018022559.tif 000013
【図１２】
2018022559.tif 000014
【図１３】
2018022559.tif 000015
【図１４】
2018022559.tif 000016
【図１５】
2018022559.tif 000017
【図１６】
2018022559.tif 000018
【図１７】
2018022559.tif 000019